(57)【要約】【課題】建築用防振取付金具で用いる弾性体の使用ゴム量を低減させると共に、作業性を向上させる。【解決手段】建物の躯体側面に取付固定されるベース金具２２における底部２４の先端上側に、天井根太１１の端部に取付固定される根太金具２８を配設する。そして、根太金具２８をベース金具２２に対しゴム弾性体３７の圧縮方向で弾性支持するように、ベース金具２２上面と根太金具２８下面との間に円柱形状のゴム弾性体３７を接着固定する。【選択図】図１
2018003561.tif 000002
【特許請求の範囲】
【請求項１】
建物の躯体側面に取付固定されるベース金具と、
前記ベース金具の上側に配設され、根太の端部に取付固定される根太金具と、
前記ベース金具と前記根太金具とを連結するゴム弾性体とを備え、
前記ゴム弾性体は、前記根太金具を前記ベース金具に対し該ゴム弾性体の圧縮方向で弾性支持するように該ベース金具の上面と該根太金具の下面との間に接着固定されていることを特徴とする建築用防振取付金具。
【請求項２】
請求項１において、
前記根太金具は、前記ベース金具の基端側上方に空間が設けられるように該ベース金具の先端部上側に配置されていることを特徴とする建築用防振取付金具。
【請求項３】
請求項１又は２において、
前記ベース金具は、
上面に前記ゴム弾性体が固着される金具本体と、
該金具本体の幅方向両側部から上方に向かって延び、上部が前記根太金具の側面に対向する一対のストッパー部とを備えていることを特徴とする建築用防振取付金具。
【請求項４】
請求項３において、
前記ストッパー部の根太金具側面との対向面、又は根太金具側面の少なくとも一方には、他方との衝突時の衝撃を和らげる緩衝材が設けられていることを特徴とする建築用防振取付金具。
【発明の詳細な説明】
【技術分野】
【０００１】
本発明は、建物の躯体と天井根太などとの間の防振のために設けられる建築用防振取付金具に関する。
【背景技術】
【０００２】
従来、２階建て住宅等の複層階の建物における躯体と、天井材を吊り下げ支持する天井根太との間の防振構造として、躯体と天井根太との間に介在する防振取付金具がゴム弾性体のみで支持する構造が、例えば特許文献１に開示されている。この特許文献１に示される防振金具は、建物の躯体側面に取付固定されるベース金具と、根太の端部に取付固定される根太金具と、ベース金具及び根太金具を連結するゴム弾性体とを備えている。
【先行技術文献】
【特許文献】
【０００３】
【特許文献１】特開２０１４−０３７７５１号公報
【発明の概要】
【発明が解決しようとする課題】
【０００４】
しかし、この特許文献１に示す建築用防振取付金具では、ゴム弾性体が剪断方向で天井根太を躯体に支持しているため、剛性を確保するために多量のゴムを必要としてしまう難点がある。
【０００５】
また、取付作業時においては、天井根太の一端側から順に躯体側面に取り付けることとなるが、その際、作業者が終始天井根太の一端側を落下しないように保持していなくてはならず、作業手間がかかってしまう問題もあり、改良すべき余地がある。
【０００６】
本発明は斯かる諸点に鑑みてなされたものであり、その目的は、弾性体のゴム量を抑えると共に、作業性のよい防振取付金具を実現することにある。
【課題を解決するための手段】
【０００７】
前記の目的を達成するために、この発明では、躯体側面に取付固定する金具と根太端部に取付固定する端部とを、ゴム弾性体の圧縮方向で支持するように連結することとした。
【０００８】
具体的には、第１の発明では、建物の躯体側面に取付固定されるベース金具と、前記ベース金具の上側に配設され、根太の端部に取付固定される根太金具と、前記ベース金具と前記根太金具とを連結するゴム弾性体とを備え、前記ゴム弾性体は、前記根太金具を前記ベース金具に対し該ゴム弾性体の圧縮方向で弾性支持するように該ベース金具の上面と該根太金具の下面との間に接着固定されていることを特徴とする。
【０００９】
前記構成とすることで、根太がゴム弾性体の圧縮方向で弾性支持されるため、弾性体に必要なゴム量を減らすことができる。
【００１０】
第２の発明は、第１の発明において、前記根太金具は、前記ベース金具の基端側上方に空間が設けられるように該ベース金具の先端部上側に配置されていることを特徴とする。
【００１１】
前記構成とすることで、取付作業時に、根太の一端部を根太金具及びベース金具の基端側上方に設けられた空間に仮置きすることが可能となり、他端部を作業する際に作業者が一端部を支持する必要がなくなる。これにより、取付時の作業性が向上する。
【００１２】
第３の発明は、第１又は第２の発明において、前記ベース金具は、上面に前記ゴム弾性体が固着される金具本体と、該金具本体の幅方向両側部から上方に向かって延び、上部が前記根太金具の側面に対向する一対のストッパー部とを備えていることを特徴とする。
【００１３】
前記構成とすることで、仮に天井根太の傾き、ズレ、ねじれなどが発生した場合においても、根太金具の側面に対向するストッパー部によって確実に根太金具を支持することができる。
【００１４】
第４の発明は、第３の発明において、前記ストッパー部の根太金具側面との対向面、又は根太金具側面の少なくとも一方には、他方との衝突時の衝撃を和らげる緩衝材が設けられていることを特徴とする。
【００１５】
前記構成とすることで、天井根太の傾き、ズレ、ねじれなどが発生した場合において、根太金具とベース金具のストッパー部との衝突における衝撃が緩衝材により和らげられると共に、衝突に伴って生じる異音の発生を抑制できる。
【発明の効果】
【００１６】
以上説明したように、本発明によれば、天井根太に取り付けられる根太金具を建物躯体側のベース金具に対しゴム弾性体の圧縮方向で弾性支持するため、ゴム弾性体の剪断方向で支持していた従来技術と比較してゴム量を削減することができる。また、防振金具取付時においてベース金具の基端側上方に設けられた空間を利用することで、作業性を向上させることができる。
【図面の簡単な説明】
【００１７】
【図１】本発明の実施形態に係る建築用防振取付金具の斜視図である。
【図２】建築用防振取付金具の正面図である。
【図３】建築用防振取付金具を取付固定した状態を示す側面図である。
【図４】建築用防振取付金具を用いた天井構造を示す図である。
【図５】建築用防振取付金具を用いた天井根太の取付作業を示す図である。
【発明を実施するための形態】
【００１８】
以下、本発明の実施形態を図面に基づいて詳細に説明する。以下の好ましい実施形態の説明は、本質的に例示に過ぎず、本発明、その適用物或いはその用途を制限することを意図するものではない。
【００１９】
図４は本発明の実施形態に係る天井構造を示し、この天井構造は、枠組壁工法（２×４工法）により建てられる例えば２階建て住宅等の建物の天井構造である。
【００２０】
図４において、１は建物の１階部分及び２階部分の間に配置される躯体としての上部構造体で、この上部構造体１は、木材を２枚重ねた周囲材２（床梁材）と、その周囲材２に架設された複数の床根太（図示せず）とを有する。４は上部構造体１上に支持された階上の床材であり、この床材４は床仕上材５及び床下地材６が上から順に積層されてなるものである。
【００２１】
前記床仕上材５は、一般的に使用される床材（例えば合板フローリングや積層構造のフローリングなど）を用いることができる。
【００２２】
前記床下地材６は、例えば構造用合板などが挙げられるが、ＡＬＣ（軽量気泡コンクリート）パネル７などとの積層構造を用いることもできる。なお、床下地材６は一般的な構造のものを用いてもよい。
【００２３】
前記上部構造体１の周囲材２（躯体の側部）には、床根太間の位置に該床根太と平行に延びる複数の天井根太１１，１１，…が掛け渡されて支持されており、この天井根太１１に野縁受材１２及び野縁１３を介して天井材１４が吊り下げ支持されている。
【００２４】
すなわち、天井根太１１の端部を除く中間部の側面には、防振吊木４３を介して野縁受材１２が固定され、この野縁受材１２の下面には、互いに平行な複数の野縁１３，１３，…が固定され、これら野縁１３，１３，…の下面に２枚の石膏ボードを重ねた階下の天井材１４がタッピングネジＳにより取付固定されている。図４中、１５は野縁１３上に載置固定された遮音用のグラスウールである。
【００２５】
前記各天井根太１１の両端部はそれぞれ上部構造体１の周囲材２に対し、本発明の実施形態に係る建築用防振取付金具２１を介して支持されている。
【００２６】
前記防振取付金具２１は、図１及び図２に拡大して示すように、ベース金具２２と、その上側に配設された根太金具２８と、これらベース金具２２及び根太金具２８の間に配置されたゴム弾性体３７とを備える。
【００２７】
ベース金具２２は上側に開口する断面コ字形状のもので、鉄板等の金属板材のプレス成形で製造されている。ベース金具２２の基端側（建物の躯体に取り付ける側）には、その幅方向左右両側に外向きに延びる一対の固定部２３が上下の全体に亘り一体に設けられ、該固定部２３にはそれぞれ複数（図示例では２つ）のネジ挿通孔２２ａ，２２ａ，…が上下に並んで貫通形成されている。各ネジ挿通孔２２ａにタッピングネジＳ（図３参照）を挿通させて、そのタッピングネジＳを建物の躯体である上部構造体１の周囲材２にねじ込んで締結することにより、ベース金具２２を上部構造体１の周囲材２（躯体側部）に取付固定する構造となっている。
【００２８】
ベース金具２２の底部２４は矩形平板状のもので、本発明でいうベース金具本体を構成しており、底部２４の幅方向両側部には上方に向かって互いに平行に延びる左右一対のストッパー部２５，２５が一体に形成され、これらのストッパー部２５，２５はベース金具２２の側壁部となっている。
【００２９】
一方、根太金具２８は、ベース金具２２の上側に配置される断面コ字形状のもので、鉄板等の金属板材のプレス成形で製造されている。根太金具２８は、矩形平板状の底部２９と、この底部２９の幅方向両側部から上方に向かって互いに平行に延びる左右の側部３０，３０とを備えている。側部３０，３０にはそれぞれ、上下方向の長円状のネジ挿通孔２８ａ，２８ａが設けられており、底部２９上に配置された天井根太１１を、ネジ挿通孔２８ａにタッピングネジＳを通して根太金具２８に固定するようになっている。
【００３０】
側部３０，３０の外側面間の間隔は、ベース金具２２のストッパー部２５，２５の対向面（内側面）間の間隔よりも所定寸法だけ小さくなっており、このベース金具２２のストッパー部２５，２５間に上方から根太金具２８の側部３０，３０を嵌挿可能となっている。
【００３１】
ベース金具２２のストッパー部２５の内側面には、根太金具２８との衝突時の衝撃を和らげるためにゴム製の緩衝材２６が接着などにより一体的に設けられている。緩衝材２６は、無荷重状態で側部３０，３０に対向する部分が他の部分に比べて厚く構成されており、根太金具２８の側部３０，３０の外側面とベース金具２２のストッパー部２５，２５の内側面（緩衝材２６）とは、例えば１．５ｍｍ程度の間隙を空けて対向している。
【００３２】
ゴム弾性体３７は、例えば円柱形状の中実ゴムからなり、その中心線方向に沿った一端面である下端面がベース金具２２の底部２４の先端側上面に、また他端である上端面が根太金具２８の底部２９下面にそれぞれ加硫により接着固定されている。ここで、ゴム弾性体３７は、ベース金具２２の先端側に接着固定されており、そのため、ベース金具２２を固定部２３，２３により躯体側部に取り付けた際にもベース金具２２の底部２４の基端側上方に空間が設けられることとなる。
【００３３】
そして、このような建築用防振取付金具２１を用いて上部構造体１の周囲材２（躯体側部）に天井根太１１を支持することで、その施工状態では天井根太１１及び根太金具２８は周囲材２に固定されたベース金具２２に対してゴム弾性体３７の圧縮方向に弾性支持されるように構成されている。これにより、施工時においては、図３に示すように、根太金具２８がベース金具２２に対して沈み込む形で天井根太１１を支持することとなる。
【００３４】
さらに、図４に示すように、前記天井根太１１と野縁１３を支持する野縁受材１２との間に防振吊木４３が介在され、野縁受材１２、野縁１３及び天井材１４は防振吊木４３を介して天井根太１１に支持されている。
【００３５】
次に、前記上部構造体１に天井根太１１及び天井材１４を施工する手順について説明する。各天井根太１１を２つの建築用防振取付金具２１，２１によって上部構造体１の周囲材２（躯体側部）に取付固定することとなる。
【００３６】
具体的には、まず、上部構造体１の周囲材２における側面の所定の高さ位置に各建築用防振取付金具２１の取付位置を墨出しする。そして、その一方の取付位置に、天井根太１１の一端部に取り付けようとする建築用防振取付金具２１を、根太金具２８が上側に位置するようにベース金具２２の固定部２３を当接させて配置し、タッピングネジＳをベース金具２２の各ネジ挿通孔２２ａ，２２ａ，…に挿通させて周囲材２にねじ込んで締結することにより、建築用防振取付金具２１をベース金具２２にて上部構造体１の周囲材２側面に取付固定する。
【００３７】
次いで、天井根太１１を所定の長さ（周囲材２の内々寸法から所定寸法だけ短い長さ）に切断した後、その天井根太１１の一端部を押し上げて天井根太１１を傾斜させ、その押し上げた一端部を、前記取り付けた建築用防振取付金具２１における根太金具２８の底部２９と左右側部３０，３０とで囲まれる部分内に上側から天井根太１１の下面が底部２９上に載るように嵌挿する。
【００３８】
そして、図５に示すように、天井根太１１の他端部を押し上げながら一端部側へ押し込み、天井根太１１を水平にして、その一端部がベース金具２２の基端側（周囲材２側）に設けられた空間を塞ぐような形で根太金具２８上に仮置きする。こうすることで、後続の作業において天井根太１１の一端部が落下することを防ぐことができる。
【００３９】
その後、天井根太１１の他端部に残りの建築用防振取付金具２１を配置し、その根太金具２８の底部２９、左右側部３０，３０で囲まれる部分内に天井根太１１の端部を嵌挿する。
【００４０】
そして、天井根太１１を他端側へ適正位置まで引き戻し、その状態で、天井根太１１の他端部側に用いる建築用防振取付金具２１を取付位置にベース金具２２の固定部２３を当接させて配置し、タッピングネジＳを固定部２３の各ネジ挿通孔２２ａに挿通させて周囲材２にねじ込んで締結することにより、ベース金具２２を上部構造体１の周囲材２に取付固定する。
【００４１】
この状態では、天井根太１１は未だ固定されていない。その後、各建築用防振取付金具２１の根太金具２８における左右側部３０，３０のネジ挿通孔２８ａにタッピングネジＳを挿通して天井根太１１にねじ込むことで、建築用防振取付金具２１と天井根太１１とを固定する。
【００４２】
このようにして天井根太１１が施工されると、その後、天井根太１１に防振吊木４３を介して野縁受材１２、その下面に固定された野縁１３、野縁１３下面に取付固定された天井材１４、及び野縁１３上面に載置固定されたグラスウール１５を吊り下げ支持すればよい。
【００４３】
したがって、前記実施形態においては、天井根太１１の両端部がそれぞれ上部構造体１の周囲材２（床梁材）に対し建築用防振取付金具２１，２１を介して支持されている。この各建築用防振取付金具２１では、ベース金具２２が建物における上部構造体１の周囲材２に、また根太金具２８が天井根太１１の端部にそれぞれ取付固定され、ベース金具２２と根太金具２８とは、両者に接着固定したゴム弾性体３７により連結されているので、この両建築用防振取付金具２１，２１により天井根太１１を上部構造体１の周囲材２に施工した施工状態では、周囲材２側と天井根太１１側との間に建築用防振取付金具２１のゴム弾性体３７のみが介在されることとなる。
【００４４】
そのため、それら周囲材２側と天井根太１１側とが直接に接触することはなく、振動の伝達が必ずゴム弾性体３７を通して行われることとなるが、この際、根太金具２８がベース金具２２に対してゴム弾性体３７の圧縮方向に弾性支持されているため、ゴム弾性体３７に使用するゴム量を低減することができる。
【００４５】
しかも、取付作業時において、前記のように、天井根太１１の一端部をベース金具２２の基端側上方に設けられた空間を占めるように根太金具２８に仮置きすることにより、天井根太１１の一端部を作業者が終始保持し続けなくとも済み、容易に落下を防止することができるようになり、作業性が向上する。
【００４６】
さらに、ベース金具２２の幅方向両側にはストッパー部２５，２５が設けられているため、仮に、天井根太１１の傾き、ズレ、ねじれなどが発生したとしても、それらはストッパー部２５との当接により抑制されるようになり、確実に根太金具２８及び天井根太１１を保持することができる。
【００４７】
加えて、ベース金具２２のストッパー部２５の内側面にゴム製の緩衝材２６が設けられていることにより、天井根太１１の傾き、ズレ、ねじれなどにより発生する根太金具２８の側部３０とベース金具２２のストッパー部２５との衝突時の衝撃を和らげると共に、異音の発生を抑制することができる。
【００４８】
なお、施工手順は、天井根太１１の両端に防振取付金具２１を取り付けてから周囲材２に固定する方法でもよいが、前記施工手順のように、防振取付金具２１の一方を周囲材２に固定してから天井根太１１を取り付ける手順であれば、施工時にゴム弾性体３７に力がかかり難い状態で施工できるので望ましい。
【００４９】
前記のように、天井根太１１及び根太金具２８をベース金具２２に対してゴム弾性体３７により弾性支持している構造において、ゴム弾性体３７が火災時等で焼けて破断した場合や、天井根太１１の傾き、ズレ、ねじれなどによりゴム弾性体３７に急激な箭断方向の力が加わってベース金具２２と根太金具２８とのゴム弾性体３７による連結が解除された場合には、根太金具２８側の天井根太１１が野縁１３や天井材１４と共に落下する虞れがある。しかし、この実施形態では、仮に、ベース金具２２と根太金具２８とのゴム弾性体３７による連結が解除されたときでも、根太金具２８をベース金具２２の底部２４（金具本体）によって受け止めることができる。このことにより、根太金具２８側の天井根太１１、野縁１３や天井材１４がベース金具２２側の周囲材２に対して落下するのを阻止することができる。
【００５０】
（その他の実施形態）
なお、前記実施形態では、枠組壁工法（２×４工法）により建てられる建物の天井構造について説明しているが、本発明は、軸組工法（木造在来工法）や軽量鉄骨等により建てられる建物の天井構造に対しても適用することができるし、また、天井構造以外（例えば床構造）における根太の防振においても適用することができる。
【００５１】
また、前記実施形態では天井材１４が防振吊木４３を介して天井根太１１に吊り下げ支持される構造となっているが、例えばビスなどを用いて、天井材１４を天井根太１１に直接固定してもよい。
【００５２】
また、前記実施形態ではベース金具２２のストッパー部２５内側面に緩衝材２６が設けられているが、根太金具２８の側部３０の外側面に設けることもでき、或いはストッパー部２５内側面及び根太金具２８の側部３０外側面の双方に設けてもよい。
【００５３】
さらに、前記実施形態ではゴム弾性体３７は円柱形状となっているが、他の形状、例えば角柱形状としてもよく、これらの場合においても、実施形態と同様の効果を得ることができる。
【産業上の利用可能性】
【００５４】
本発明は、天井根太などの防振に用いる建築用防振取付金具に極めて有用である。
【符号の説明】
【００５５】
１  上部構造体（躯体）
２  周囲材
１１  天井根太
１４  天井材
２１  建築用防振取付金具
２２  ベース金具
２３  固定部
２４  底部（金具本体）
２５  ストッパー部
２６  緩衝材
２８  根太金具
２９  底部
３０  側部
３７  ゴム弾性体
４３  防振吊木
【図１】
2018003561.tif 000003
【図２】
2018003561.tif 000004
【図３】
2018003561.tif 000005
【図４】
2018003561.tif 000006
【図５】
2018003561.tif 000007